(57)【要約】  映像データのデータ伝送率を低減させるために、映像データを構成するピクセルブロックごとに少なくとも一つのピクセルを落下させ、一部のピクセルが落下した映像データを送信するデータ送信方法及び装置、一部のピクセルのデータ値が落下した映像データを受信し、受信されたピクセルのデータ値を参照して、落下したピクセルを復元するデータ受信方法及び装置を開示する。
2014519224.tif 000002
【特許請求の範囲】
【請求項１】
映像データを無線で送信する方法において、
前記映像データのデータ伝送率を低減させるために、前記映像データを構成するピクセルブロックごとに少なくとも一つのピクセルを落下させる段階と、
一部のピクセルが落下した前記映像データを送信する段階と、を含むデータ送信方法。
【請求項２】
前記ピクセルブロックは、空間的に隣接している一つ以上のピクセルを含み、
前記少なくとも一つのピクセルを落下させる段階は、前記映像データのＢｌｏｃｋＭｏｄｅフィールドを用いて獲得された前記ピクセルブロックのサイズに関する情報に基づいて、少なくとも一つのピクセルを落下させる段階である請求項１に記載のデータ送信方法。
【請求項３】
前記少なくとも一つのピクセルを落下させる段階は、前記映像データが送信される無線チャネルの帯域幅に基づいて前記データ伝送率をさらに低減させるために、段階的にピクセルを落下させる段階をさらに含む請求項１に記載のデータ送信方法。
【請求項４】
前記段階的にピクセルを落下させる段階は、前記ピクセルブロックのサイズ及び落下するピクセルの数のうち少なくとも一つを段階的に変更しつつ落下させる段階である請求項３に記載のデータ送信方法。
【請求項５】
前記ピクセルを落下させる段階は、前記ピクセルブロックに含まれた初期ピクセルとの参照距離が最も遠いピクセルから落下させる段階である請求項３に記載のデータ送信方法。
【請求項６】
前記ピクセルを落下させる段階は、前記ピクセルブロック内で均等な位置で選択されたピクセルを落下させる段階である請求項３に記載のデータ送信方法。
【請求項７】
前記送信する段階は、複数のピクセル落下モードを、落下するピクセルの位置及び数によって階層的に分類する段階と、
前記落下したピクセルの位置及び数に対応するピクセル落下モードを示すインデクシング情報を前記映像データと共に送信する段階と、を含む請求項１に記載のデータ送信方法。
【請求項８】
映像データを無線で受信する方法において、
一部のピクセルのデータ値が落下した映像データを受信する段階と、
受信されたピクセルのデータ値を参照して、落下したピクセルを復元する段階と、を含むデータ受信方法。
【請求項９】
前記落下したピクセルを復元する段階は、復元するピクセルを含むピクセルブロック内で、前記復元するピクセルとの参照距離が最も近いピクセルを参照して復元する段階である請求項８に記載のデータ受信方法。
【請求項１０】
前記受信する段階は、落下したピクセルの位置及び数に関するインデクシング情報を前記映像データと共に受信する段階である請求項８に記載のデータ受信方法。
【請求項１１】
前記落下したピクセルを復元する段階は、前記インデクシング情報を参照して、落下したピクセルを復元する段階である請求項８に記載のデータ受信方法。
【請求項１２】
映像データを無線で送信する無線送信機において、
前記映像データのデータ伝送率を低減させるために、前記映像データを構成するピクセルブロックごとに少なくとも一つのピクセルを落下させるピクセル落下モジュールと、
一部のピクセルが落下した前記映像データを伝送するデータ送信モジュールと、を備える無線送信機。
【請求項１３】
前記ピクセルブロックは、空間的に隣接している一つ以上のピクセルを含み、
前記ピクセル落下モジュールは、前記映像データのＢｌｏｃｋＭｏｄｅフィールドを用いて獲得された前記ピクセルブロックのサイズに関する情報に基づいて、少なくとも一つのピクセルを落下させる請求項１２に記載の無線送信機。
【請求項１４】
前記ピクセル落下モジュールは、前記映像データが送信される無線チャネルの帯域幅に基づいて前記データ伝送率をさらに低減させるために、段階的にピクセルを落下させる請求項１２に記載の無線送信機。
【請求項１５】
前記ピクセル落下モジュールは、ピクセルブロックのサイズ及び落下するピクセルの数のうち少なくとも一つを段階的に変更しつつ落下させる請求項１３に記載の無線送信機。
【請求項１６】
前記ピクセル落下モジュールは、ピクセルブロックに含まれた初期ピクセルとの参照距離が最も遠いピクセルから落下させる請求項１４に記載の無線送信機。
【請求項１７】
前記ピクセル落下モジュールは、前記ピクセルブロック内で均等な位置で選択されたピクセルを落下させる請求項１４に記載の無線送信機。
【請求項１８】
前記データ送信モジュールは、複数のピクセル落下モードを、落下するピクセルの位置及び数によって階層的に分類し、前記落下したピクセルの位置及び数に対応するピクセル落下モードを示すインデクシング情報を前記映像データと共に伝送する請求項１２に記載の無線送信機。
【請求項１９】
映像データを無線で受信する無線受信機において、
一部のピクセルのデータ値が落下した映像データを受信するデータ受信モジュールと、
受信されたピクセルのデータ値を参照して、落下したピクセルを復元するピクセル復元モジュールと、を備える無線受信機。
【請求項２０】
前記ピクセル復元モジュールは、復元するピクセルを含むピクセルブロック内で、前記復元するピクセルとの参照距離が最も近いピクセルを参照して復元する無線受信機。
【請求項２１】
前記データ受信モジュールは、落下したピクセルの位置及び数に関するインデクシング情報を前記映像データと共に受信する無線受信機。
【請求項２２】
前記ピクセル復元モジュールは、前記インデクシング情報を参照して、落下したピクセルを復元する無線受信機。
【請求項２３】
請求項１ないし１１のうちいずれか一項に記載の方法を具現するためのプログラムを記録した、コンピュータで読み取り可能な記録媒体。
【発明の詳細な説明】
【技術分野】
【０００１】
本発明は、無線通信に係り、具体的には映像データを伝送する通信に関する。
【背景技術】
【０００２】
映像の解像度が増加するにつれて、ＨＤ映像を使う電子装置の数が増加しつつある。従来の多くの装置は、装置間のデータ伝送ができるように数Ｇｂｐｓ近傍の帯域幅の可能なＨＤ映像を小さなサイズに圧縮する。しかし、このような映像の圧縮及び圧縮復元において、一部の映像情報が消失するか、または、ピクチャーの画質が劣化する恐れがある。
【０００３】
このような無線通信システムでは、映像ストリームの伝送前に連結設定及びチャネル帯域幅の割り当てが行われる。十分な帯域幅が割り当てられ、また、ストリーム構成に対する制御を完了した後で映像ストリームを伝送させることが望ましい。しかし、同チャネル内で進行中の他の伝送によって十分なチャネル帯域幅が確保されない恐れがある。また、無線チャネルの品質は経時的に動的に変わる。特に、ビーム形成された伝送が行われる６０ＧＨｚ帯域無線チャネルでは、人間の動きによってもチャネルが影響されることがある。
【発明の概要】
【発明が解決しようとする課題】
【０００４】
本発明では、非圧縮映像データを構成するピクセルブロックに対して、ピクセル間の参照距離に基づいてピクセル落下（ｐｉｘｅｌ  ｄｒｏｐｐｉｎｇ）を行うことで、映像データの伝送過程でデータ伝送率を低減させる方法及び装置が提供される。
【０００５】
また、ピクセル落下が行われた非圧縮映像データを受信し、ピクセルブロックごとに落下したピクセルを復元する方法及び装置が提供される。また、前記方法をコンピュータで行わせるためのプログラムを記録した、コンピュータで読み取り可能な記録媒体を提供する。
【課題を解決するための手段】
【０００６】
前記技術的課題を解決するために、映像データを無線で送信する方法は、映像データのデータ伝送率を低減させるために、映像データを構成するピクセルブロックごとに少なくとも一つのピクセルを落下させる段階と、一部のピクセルが落下した映像データを送信する段階と、を含む。
【０００７】
前記技術的課題を解決するための一実施形態によれば、ピクセルブロックは、空間的に隣接している一つ以上のピクセルを含み、少なくとも一つのピクセルを落下させる段階は、映像データのＢｌｏｃｋＭｏｄｅフィールドを用いて獲得されたピクセルブロックのサイズに関する情報に基づいて、少なくとも一つのピクセルを落下させる段階であることを特徴とする。
【０００８】
前記技術的課題を解決するための一実施形態によれば、少なくとも一つのピクセルを落下させる段階は、映像データが送信される無線チャネルの帯域幅に基づいてデータ伝送率をさらに低減させるために、段階的にピクセルを落下させる段階をさらに含む。
【０００９】
前記技術的課題を解決するための一実施形態によれば、段階的にピクセルを落下させる段階は、ピクセルブロックのサイズ及び落下するピクセルの数のうち少なくとも一つを段階的に変更しつつ落下させる段階であることを特徴とする。
【００１０】
前記技術的課題を解決するための一実施形態によれば、ピクセルを落下させる段階は、ピクセルブロックに含まれた初期ピクセルとの参照距離が最も遠いピクセルから落下させることを特徴とする。
【００１１】
前記技術的課題を解決するための一実施形態によれば、ピクセルを落下させる段階は、ピクセルブロック内で均等な位置で選択されたピクセルを落下させる段階であることを特徴とする。
【００１２】
前記技術的課題を解決するための一実施形態によれば、送信する段階は、複数のピクセル落下モードを、落下するピクセルの位置及び数によって階層的に分類する段階と、落下したピクセルの位置及び数に対応するピクセル落下モードを示すインデクシング情報を映像データと共に送信する段階と、を含むことを特徴とする。
【００１３】
前記技術的課題を解決するために、映像データを無線で受信する方法は、一部のピクセルのデータ値が落下した映像データを受信する段階と、受信されたピクセルのデータ値を参照して、落下したピクセルを復元する段階と、を含む。
【００１４】
前記技術的課題を解決するための一実施形態によれば、落下したピクセルを復元する段階は、復元するピクセルを含むピクセルブロック内で、復元するピクセルとの参照距離が最も近いピクセルを参照して復元する。
【００１５】
前記技術的課題を解決するための一実施形態によれば、受信する段階は、落下したピクセルの位置及び数に関するインデクシング情報を前記映像データと共に受信することを特徴とする。
【００１６】
前記技術的課題を解決するための一実施形態によれば、落下したピクセルを復元する段階は、インデクシング情報を参照して、落下したピクセルを復元する段階であることを特徴とする。
【００１７】
前記技術的課題を解決するために、映像データを無線で送信する無線送信機は、映像データのデータ伝送率を低減させるために、映像データを構成するピクセルブロックごとに少なくとも一つのピクセルを落下させるピクセル落下モジュールと、一部のピクセルが落下した前記映像データを伝送するデータ送信モジュールと、を備える。
【００１８】
前記技術的課題を解決するために、映像データを無線で受信する無線受信機は、一部のピクセルのデータ値が落下した映像データを受信するデータ受信モジュールと、受信されたピクセルのデータ値を参照して、落下したピクセルを復元するピクセル復元モジュールと、を備える。
【００１９】
前記技術的課題を解決するための方法をコンピュータで具現するためのプログラムを記録した、コンピュータで読み取り可能な記録媒体を提供する。
【発明の効果】
【００２０】
本発明によれば、非圧縮映像データを伝送するに際して、無線チャネルの環境及び帯域幅に基づいてデータ伝送率を調節可能になる。
【図面の簡単な説明】
【００２１】
本発明は、以下の詳細な説明とそれに伴う図面の結合により容易に理解され、参照番号は、構造的構成要素を意味する。
【図１】本発明の一実施形態に係り、無線チャネルを通じて映像データを伝送するためのデータ伝送率調節システムに関するブロック図である。
【図２】本発明の一実施形態による図１のシステムに関するブロック図をさらに詳細に示す図面である。
【図３】本発明の一実施形態によるピクセルの２次元的な非圧縮映像フレームに関する例示を示す図面である。
【図４】本発明の一実施形態に関する映像データについて、ピクセルブロックごとに少なくとも一つのピクセルを段階的に落下させてデータ伝送率を調節する例示を示す図面である。
【図５】本発明の一実施形態に関する映像データについて、ピクセルブロックごとに少なくとも一つのピクセルを段階的に落下させてデータ伝送率を調節する例示を示す図面である。
【図６】本発明の一実施形態に関する映像データについて、ピクセルブロックごとに少なくとも一つのピクセルを段階的に落下させてデータ伝送率を調節する例示を示す図面である。
【図７】本発明の一実施形態に関する映像データについて、ピクセルブロックごとに少なくとも一つのピクセルを段階的に落下させてデータ伝送率を調節する例示を示す図面である。
【図８】本発明の一実施形態に関する映像データについて、ピクセルブロックごとに少なくとも一つのピクセルを段階的に落下させてデータ伝送率を調節する例示を示す図面である。
【図９】本発明の一実施形態に関する映像データについて、ピクセルブロックごとに少なくとも一つのピクセルを段階的に落下させてデータ伝送率を調節する例示を示す図面である。
【図１０】本発明の一実施形態に関する映像データについて、ピクセルブロックごとに少なくとも一つのピクセルを段階的に落下させてデータ伝送率を調節する例示を示す図面である。
【図１１】本発明の一実施形態に関する映像データについて、ピクセルブロックごとに少なくとも一つのピクセルを段階的に落下させてデータ伝送率を調節する例示を示す図面である。
【図１２】本発明の一実施形態に関する映像データについて、ピクセルブロックごとに少なくとも一つのピクセルを段階的に落下させてデータ伝送率を調節する例示を示す図面である。
【図１３】本発明の一実施形態に関する映像データについて、ピクセルブロックごとに少なくとも一つのピクセルを段階的に落下させてデータ伝送率を調節する例示を示す図面である。
【図１４】本発明の一実施形態に関する映像データについて、ピクセルブロックごとに少なくとも一つのピクセルを段階的に落下させてデータ伝送率を調節する例示を示す図面である。
【図１５】本発明の一実施形態に関する映像データについて、ピクセルブロックごとに少なくとも一つのピクセルを段階的に落下させてデータ伝送率を調節する例示を示す図面である。
【図１６】本発明の一実施形態に関する映像データについて、ピクセルブロックごとに少なくとも一つのピクセルを段階的に落下させてデータ伝送率を調節する例示を示す図面である。
【図１７】本発明の一実施形態よって無線送信機が映像データを伝送する時、段階的にデータ伝送率を調節する過程を示すフローチャートである。
【図１８】本発明の一実施形態に係り、無線受信機がデータ伝送率が調節された映像データを受信し、映像データを復元する過程を示すフローチャートである。
【発明を実施するための形態】
【００２２】
本発明で使われる用語は、本発明での機能を考慮してなるべく現在に広く使われている一般的な用語を選択したが、これは当業者の意図または判例、新技術の出現などによって変わりうる。また、特定の場合には、出願人が任意に選定した用語もあり、この場合、該発明の説明部分で詳細にその意味を記載する。したがって、本発明で使われる用語は、単純な用語の名称ではなく、その用語が持つ意味及び本発明の全般的な内容に基づいて定義されねばならない。
【００２３】
明細書全体にわたって、ある部分がある構成要素を“含む”とする時、これは、特に逆の記載がない限り、他の構成要素を除外するものではなく他の構成要素をさらに含むことができるということを意味する。また、明細書に記載の“〜部”、“〜モジュール”などの用語は、少なくとも一つの機能や動作を処理する単位を意味し、これは、ハードウェアまたはソフトウェアで具現されるか、またはハードウェアとソフトウェアとの結合で具現される。
【００２４】
以下、送受信される映像データは、映像情報である複数のピクセルを含む。ＷｉＧｉｇ（Ｗｉｒｅｌｅｓｓ  Ｇｉｇａｂｉｔ  Ａｌｌｉａｎｃｅ）標準規格によれば、無線チャネルの使用可能な帯域幅に基づいてデータ伝送率が動的に調節される非圧縮映像データを、ＷＳＰ（ＷｉＧｉｇ  Ｓｐａｔｉａｌ  Ｐｒｏｃｅｓｓｉｎｇ）フォーマットと称する。非圧縮映像データがＷＳＰフォーマットであるかどうかに関する情報は、伝送されるパケットのピッチャーリストフィールド（ＦｅａｔｕｒｅＬｉｓｔ  ｆｉｅｌｄ）に含まれる。ＷＳＰフォーマットは、２Ｄ映像データだけではなく３Ｄ映像データにも適用される。
以下では、図面を参照して本発明の実施形態を詳細に説明する。
【００２５】
図１は、本発明の一実施形態よって、無線チャネル１０を通じて無線送信機１１から無線受信機１２に映像データを伝送するための無線通信システムを示すブロック図である。伝送される映像データは、ＷＳＰフォーマットである。
【００２６】
無線送信機１１で映像入力モジュール１３は、非圧縮映像を含む情報を多種の有線または無線インターフェースを通じて送信部１４に提供する。映像入力モジュール１３は、例えば、映像デコーダーまたは非圧縮ＨＤ映像記録部になる。
【００２７】
送信部１４は、無線チャネル１０を通じて映像データを無線受信機１２内の受信部１５に伝達するために、ミリ波（ｍｍＷａｖｅ）無線技術を使える。４８０ｐのようなさらに低い映像フォーマットのために、ＵＷＢ（Ｕｌｔｒａ  Ｗｉｄｅ  Ｂａｎｄ）または８０２．１１ｎのような他の無線技術が使われてもよい。
【００２８】
無線受信機１２の受信部１５は、受信された情報を、さらに他の有線または無線インターフェースを通じて映像再生モジュール１６に提供する。映像再生モジュール１６は、例えば、ＨＤＴＶ、モニタ、プロジェクタなどである。
【００２９】
無線送信機１１は、データ伝送率の調節された映像データを生成するために、映像データに含まれる複数のピクセルについてのデータ値のうち、選択されたピクセルの情報を落下（ｄｒｏｐ）させる。送信部１４に含まれたピクセル落下モジュール１１０は、伝送される映像データのデータ伝送率（ｄａｔａ  ｒａｔｅ）が無線チャネル１０の環境または帯域幅に比べて十分に低くなければ、段階的にピクセル落下過程を行ってデータ伝送率を低める。
【００３０】
無線送信機１１は、データ伝送率の調節された映像データを、無線チャネル１０を通じて無線受信機１２に伝送するデータ送信モジュール１２０をさらに備える。
【００３１】
無線受信機１２に備えられる受信部１５は、無線送信機１１と対応するように、無線通信のためのデータ受信モジュール１３０、及びデータ伝送率が調節される前の映像データを復元するために、ピクセル落下モジュール１１０の作業を逆行的に行うピクセル復元モジュール１４０を備える。
【００３２】
図２は、本発明の一実施形態による無線チャネル１０を含む無線通信システムにおいて、データ伝送率を調節して映像データを伝送する実施例をさらに詳細に示す図面である。
【００３３】
無線送信機１１の映像入力モジュール１３は、映像ストリームを送信部１４内のＭＡＣ階層１４Ｍにストリーミングし続けるアプリケーション＆ＰＡＬ（Ｐｒｏｔｏｃｏｌ  Ａｄａｐｔａｔｉｏｎ  Ｌａｙｅｒ）階層を含む。ＭＡＣ階層１４Ｍは、映像ストリームをＭＡＣパケットにパケット化し、無線チャネル１０を通じて無線受信機１２に伝送するために、パケットを物理（ＰＨＹ）階層１４Ｐに伝送する。
【００３４】
無線受信機１２で、受信部１５内のＰＨＹ階層１５Ｐはパケットを受信し、パケットをＭＡＣ階層１５Ｍに提供する。ＭＡＣ階層１５Ｍは、パケットをデパケット化（ｄｅｐａｃｋｅｔｉｚｉｎｇ）した後、映像再生モジュール１６に映像情報を提供できる。映像再生モジュール１６は、アプリケーション＆ＰＡＬ階層を含む。
【００３５】
本発明の一実施形態よれば、無線送信機１１のＭＡＣ階層１４Ｍでは、ピクセル分割のためのピクセルブロックのサイズ及び形態に基づいて、映像入力モジュール１３によって提供された映像ストリームから映像パケットを生成する。Ｎ×Ｍと表現されるピクセルブロックは、Ｎ個のピクセル列及びＭ個のピクセル行を持つ隣接している映像ピクセルの集合を意味する。映像パケットを生成する過程で、ピクセルブロック内のピクセルは分離され、互いに異なるピクセルパーティションにそれぞれ位置する。
【００３６】
図３は、複数のピクセル２１の２次元的な非圧縮映像フレーム２０の例示を示す。複数のピクセル２１は、図面上にシンボル‘Ｏ’と表現され、それぞれのピクセル２１は、配置される列及び行によってＹｉｊ（ｉ，ｊ＝０，１，２，…）とその位置が表現される。
【００３７】
本実施形態で、２×２ピクセルブロック２２は、複数のピクセル２１を４つのピクセルパーティション２３（それぞれ、パーティション０、パーティション１、パーティション２、パーティション３）にマッピングさせるのに使われる。ピクセルパーティション２３は、送信部１４のＭＡＣ階層１４Ｍでパケットに挿入され、送信部ＰＨＹ階層１４Ｐを経て無線チャネル１０を通じて無線受信機１２に伝送される。受信部１５の受信部ＰＨＹ階層１５Ｐで受信されたパケットは、ＭＡＣ階層１５Ｍからデパケット化する。
【００３８】
ピクセルブロック２２のサイズは、無線受信機１２のメモリバッファの容量、映像データのフォーマット及びコンテンツの種類によって定められる。例えば、チップ内のバッファ容量の制限によって８列の映像データがバッファリングされならば、最大ピクセルブロックサイズは、８×Ｍ（Ｍ＝１，２，３，…）になる。コンテンツの種類、映像の解像度及びフォーマットまたピクセルブロック２２のサイズの選択に影響を及ぼす。一実施形態よれば、ピクセルブロック２２のサイズに関する情報は、無線チャネル１０を通じて伝送される映像データのＢｌｏｃｋＭｏｄｅフィールドに保存される。
【００３９】
同一ピクセルブロック内のピクセルは、一般的に類似した値を持つ。１９２０×１０８０のような高解像度映像では、８×８ピクセルブロック内のピクセルが非常に類似した値を持つことが一般的である。しかし、８００×６００のようなさらに低い解像度を持つ映像では、一般的に４×４ピクセルブロック内のピクセルが類似した値を持ち、８×８は、ピクセルブロックのサイズとしては大き過ぎる。ピクセルブロックに含まれるピクセルは、空間的に連関される。
【００４０】
本発明の一実施形態よれば、実際に割り当てられた無線チャネル１０の帯域幅が映像入力モジュール１３から伝送される映像ストリームに要求されるデータ伝送率を収容すれば、ピクセルブロック２２内のあらゆるピクセルのデータ値が伝送される。しかし、無線チャネル１０の帯域幅が要求されるデータ伝送率を収容できなければ、データ伝送率を低めるために段階的なレート調節が行われる。
【００４１】
一実施形態で、段階的なレート調節は、段階的なピクセル落下（ＰＰＤＲ、ｐｒｏｇｒｅｓｓｉｖｅ  ｐｉｘｅｌ  ｄｒｏｐｐｉｎｇ）過程を含む。一実施形態よれば、段階的なピクセル落下過程以外にも、段階的なピクセル差変換（ＰＰＤＴ、Ｐｒｏｇｒｅｓｓｉｖｅ  Ｐｉｘｅｌ  Ｄｉｆｆｅｒｅｎｔｉａｌ  Ｔｒａｎｓｆｏｒｍａｔｉｏｎ）過程が行われる。
【００４２】
以下では、図４ないし図１６を通じて、段階的なピクセル落下過程を用いて映像データのデータ伝送率を調節する過程について詳細に説明する。
【００４３】
図４ないし図１６で、円形のシンボル‘Ｏ’は、差変換されていない元のピクセル値を示し、三角形シンボル‘Δ’は、段階的なピクセル差変換過程が行われた結果を示す。すなわち、図４でＹ００ピクセルは、差変換が行われていないピクセルであり、三角形シンボルで表現される残りのピクセルは、矢印方向に沿って近接したピクセルとの差値のみを符号化した結果を示す。すなわち、Ｙ０１ピクセルの場合、Ｙ００ピクセルとの差値のみを符号化した結果であり、Ｙ０２ピクセルは、Ｙ０１ピクセルとの差値のみを符号化した結果を示す。すなわち、Ｙ００ピクセルは、別途の変換過程なしに元ピクセルの値がそのまま伝送され、ピクセルブロック２２内の初期ピクセルを除いた残りのピクセルは、Ｙ００ピクセルから、図示されたような矢印方向の順序に沿って、前述したピクセル差変換過程を通じて以前参照ピクセルとの差値のみがピクセル値に伝送される。
【００４４】
ピクセル差変換を通じて、それぞれのピクセルの元値の代わりに近接したピクセルとの差値のみを伝送可能になり、映像データの伝送に必要なデータ伝送率を低減させる。
【００４５】
このようなピクセル差変換過程は、段階的なピクセル落下過程以前に行われ、ピクセル差変換過程なしに段階的なピクセル落下過程のみ行われてもよい。前者の場合、落下するピクセルは、元値ではなく近接したピクセルとの差値であるが、後者の場合、ピクセルの元値が落下する。
【００４６】
本発明の一実施形態よれば、無線送信機で非圧縮映像データについてデータ伝送率を低減させ、映像品質の安定性及び収容可能性を保持するために、一つまたはそれ以上のピクセルパーティションを段階的に落下させる。映像品質を収容可能に保持し、受信端でのピクセル復旧及びエラー復元を容易にするために、無線送信機は、落下させるピクセルを、それぞれの映像データ（または、映像フレーム）内で均等に選択する。
【００４７】
図４によれば、本発明の一実施形態によるピクセル落下過程は、ピクセル落下モードによって定義される。それぞれのピクセル落下モードは、Ｎ×Ｍ：ｋで表現され（Ｎ，Ｍ＝１，２，３，…、ｋ＝１，２，３，…）、映像フレーム２０内のＮ個の列及びＭ個の行で構成されるＮ×Ｍサイズのピクセルブロック２２で落下するｋ個のピクセル数を意味する。
【００４８】
それぞれのピクセル落下モードでは、ピクセルブロック２２内の最初のピクセルである初期ピクセルからの参照距離に基づいて落下するピクセルが選択される。ピクセルブロック２２内の最初のピクセルである初期ピクセルは、ピクセルブロック２２内で列及び行の順序が最も早いＹ００ピクセルを意味する。すなわち、初期ピクセルは、別途の変換過程なしに元ピクセルの値がそのまま伝送されるピクセルを意味し、ピクセルブロック２２内で初期ピクセルを除いた残りのピクセルは、初期ピクセルから、前述したピクセル差変換過程を通じて以前参照ピクセルとの差値のみピクセル値として伝送される。
【００４９】
参照距離は、選択されたピクセルがピクセルブロック２２内の初期ピクセルから空間的に隣接している距離を意味する。すなわち、ピクセルブロック２２内で列及び行の位置によってＹｉｊ（ｉ＝０，１，２，…，Ｎ−１）（ｊ＝０，１，２，…，Ｍ−１）と表現されるそれぞれのピクセルは、Ｙ００である初期ピクセルからｉ＋ｊほどの参照距離を持つ。さらに他の実施形態よれば、参照距離は、選択されたピクセルと初期ピクセルとを連結する矢印の数でも表現される。
【００５０】
例えば、図４のＹ０３ピクセルは、初期ピクセルであるＹ００から０＋３＝３ほどの参照距離を持ち、最右下端のＹ７７ピクセルは、７＋７＝１４ほどの参照距離を持つ。このような参照距離は、ピクセルブロック２２内で落下させるピクセルの順序の決定に用いられる。
【００５１】
図４に示された実施例を説明すれば、初期ピクセルであるＹ００ピクセルから参照距離の最も遠いピクセルであるＹ７７ピクセルが最初に落下する。このような方法によって目標ピクセルを落下させることが、受信端での映像画質に関する他のピクセルに及ぶ影響を低減させる。
【００５２】
一実施形態よれば、ピクセルブロック２２内で初期ピクセルとの参照距離が最も遠いピクセルが２つである場合、列方向のピクセルを先ず落下させる。これについては、図９でさらに説明する。
【００５３】
図４は、本発明の一実施形態による８×８：１ピクセル落下モードに関する事例を示し、ピクセルブロック２２のサイズは８×８であり、落下するピクセルの数はｋ＝１である。よって、８×８：１ピクセル落下モードでは、複数のピクセルのうちピクセルＹ（８ｉ＋７）（８ｊ＋７）が落下する。すなわち、本実施形態ではＮ＝８、Ｍ＝８、ｋ＝１であり、それぞれの８×８ピクセルブロック内のＹ（８ｉ＋７）（８ｊ＋７）と称するピクセルが落下する。すなわち、６４個のピクセルを含むピクセルブロックごとに１個のピクセルが落下する。
ピクセル落下過程を通じてデータ伝送率が帯域幅に比べて十分に小くなれば、落下したピクセルを除いた映像データはパケット化され、無線チャネルを通じて無線受信機に伝送される。
【００５４】
以下では、８×８：１ピクセル落下モードによって受信された映像データを復元する方法について詳細に説明する。無線受信機は、パケット化された映像データを受信してデパケット化できる。次いで、映像データに含まれたピクセル落下モードに関する情報を獲得し、落下したピクセルを復元する。落下したピクセルに関するピクセル落下モード情報は、Ｎ×Ｍ：ｋと示されるピクセル落下モードに関するインデックス情報であり、ピクセルブロックのサイズ及び落下するピクセルの数に関する情報である。
【００５５】
図４に示された８×８：１ピクセル落下モードによって、６４個のピクセルごとに１個のピクセルが落下したデータが受信されれば、ピクセル復元モジュールは、復元するピクセルとの参照距離が最も近いピクセルのデータ値を参照して復元する。すなわち、ピクセルブロック２２でＹ７７ピクセルが落下した場合、Ｙ７６ピクセルのデータ値を参照してＹ７７のピクセル値を復元する。
【００５６】
ピクセルブロック２２内で初期ピクセルとの参照距離の同じピクセルが２つである場合、列方向に近接しているピクセルのデータ値を参照して復元する。すなわち、Ｙ７７と空間的な位置の最も近い２つのピクセルにはＹ７６及びＹ６７があるが、列方向に近接しているピクセルであるＹ７６を参照してＹ７７が復元される。
【００５７】
このようなピクセル復元順序は、図４ないし図１６で矢印で表現され、矢印は、それぞれ落下したピクセルを復元する過程で参照する参照ピクセルを意味する。例えば、Ｙ７６→Ｙ７７は、Ｙ７６を参照してＹ７７ピクセルが復元されることを意味する。
【００５８】
図５では、４×８：１ピクセル落下モードを示し、落下過程及び復元過程について詳細に説明する。ピクセルブロック２２は、４個の列及び８個の行で構成され、ピクセルブロック２２ごとに１個のピクセルが落下し、８×８個のピクセル基準としては２個のピクセルが落下する。
【００５９】
４×８：１ピクセル落下モードにおいて、Ｙ（４ｉ＋３）（８ｊ＋７）ピクセルが落下する。すなわち、図５に示されたピクセルのうちではＹ３７及びＹ７７ピクセルが落下する。上側ピクセルブロック２２では、初期ピクセルであるＹ００から最も遠い参照距離を持つＹ３７ピクセルが落下する。図５に図示されていないが、下側ピクセルブロックでは、初期ピクセルであるＹ４０から最も遠い参照距離を持つＹ７７ピクセルが落下する。
【００６０】
このような４×８：１ピクセル落下モードによるピクセル落下過程は、図４に示された８×８：１ピクセル落下モードによる出力に引き続いてＹ３７ピクセルを落下させる過程が段階的に行われてもよい。すなわち、８×８：１ピクセル落下モードによるデータ伝送率が帯域幅に比べて十分に低くない場合、次いで４×８：１ピクセル落下モードによってさらにデータ伝送率を低める。
【００６１】
言い換えれば、ピクセル落下モードによってピクセルを落下させた結果、依然として帯域幅が不十分であれば、無線送信機は、ピクセル落下モードを変更できる。すなわち、Ｎ１×Ｍ１：ｋ１に表現される第１ピクセル落下モードから、Ｎ２×Ｍ２：ｋ２に表現される第２ピクセル落下モードに変更して段階的なピクセル落下過程が行われる。
【００６２】
一実施形態よれば、Ｎ１＞Ｎ２、Ｍ１＞Ｍ２、ｋ１＜ｋ２を満たす値を通じて、映像データで落下するピクセルの数を増大させる。さらに他の実施形態よれば、列Ｎ及び行Ｍのうちいずれか一つを固定させ、他の一つを変更して第２ピクセル落下モードを選択する。また後述するが、２×２：３ピクセル落下モードから４×４：１３ピクセル落下モードに変更して段階的ピクセル落下過程を行ってもよい。すなわち、段階的にピクセル落下過程を行うとき、ピクセル落下モードを変更する方法は前述した内容に限定されず、いろいろな方法を通じてピクセル落下モードが段階的に変更される。
【００６３】
次いで、４×８：１ピクセル落下モードによってデータ伝送率が調節されたデータを復元する過程を説明すれば、Ｙ３７ピクセルと最も近い参照距離を持つＹ３６及びＹ２７ピクセルのうち、列方向に近接しているピクセルであるＹ３６を参照してＹ３７が復元される。Ｙ７７ピクセルについても同様に、Ｙ７６を参照して復元される。
【００６４】
図６で示す４×４：１ピクセル落下モードを説明すれば、落下過程では、ピクセルブロック２２ごとにＹ（４ｉ＋３）（４ｊ＋３）ピクセルがそれぞれ落下する。前述したように、８×４：１ピクセル落下モードからデータ伝送率を十分に低められない場合、連続的に４×４：１ピクセル落下モードが行われてもよい。復元過程では、Ｙ３３ピクセルはＹ３２ピクセルを、Ｙ７３ピクセルはＹ７２ピクセルを参照して映像データを復元する。Ｙ３７ピクセル及びＹ７７ピクセルについては、図５で説明した通りである。
【００６５】
図７で示す２×４：１ピクセル落下モードを説明すれば、それぞれのピクセルブロック２２ごとにＹ（２ｉ＋１）（４ｊ＋３）ピクセルが落下する（８×８基準では８個のピクセルが落下する）。例えば、Ｙ１３、Ｙ１７、Ｙ３３、Ｙ３７などのピクセルが落下する。
【００６６】
次いで、復元過程では、落下したピクセルとの参照距離が最も近いピクセルであるＹ（２ｉ＋１）（４ｊ＋２）ピクセルがそれぞれ参照される。すなわち、Ｙ１３はＹ１２を、Ｙ１７はＹ１６を、Ｙ３３はＹ３２を、Ｙ３７はＹ３６をそれぞれ参照して復元される。
【００６７】
図８で示す２×２：１ピクセル落下モードによれば、Ｙ（２ｉ＋１）（２ｊ＋１）ピクセルが落下する。復元過程では、それぞれＹ（２ｉ＋１）（２ｊ）ピクセルが参照されて復元過程が行われる。図面に示された例を挙げて説明すれば、落下したピクセルであるＹ３１はＹ３０を、Ｙ７１はＹ７０を、Ｙ１７はＹ１６を、Ｙ５７はＹ５６をそれぞれ参照して復元される。
【００６８】
図９では、２×２：２ピクセル落下モードが図示され、複数のピクセルのうち半分のピクセルが落下する過程を示す。前述した内容と同様に、図８の２×２：１ピクセル落下モードに加えて、２×２：２ピクセル落下モードが行われる。
【００６９】
ピクセル落下過程においては、Ｙ（２ｉ）（２ｊ＋１）及びＹ（２ｉ＋１）（２ｊ＋１）ピクセルが落下する。例えば、Ｙ１０、Ｙ１２、Ｙ３４、Ｙ３６などが該当する。ピクセルブロック２２に含まれた初期ピクセルから参照距離が最も遠いピクセルには、Ｙ（２ｉ）（２ｊ＋１）ピクセル及びＹ（２ｉ＋１）（２ｊ）ピクセルがあるが（それぞれ初期ピクセルからの参照距離‘２’）、初期ピクセルと列方向に近接しているピクセルであるＹ（２ｉ）（２ｊ＋１）ピクセルが落下する。すなわち、Ｙ００ピクセルと参照距離の最も近いピクセルにはＹ０１及びＹ１０が存在するが、列方向の参照距離が近いＹ０１が先ず落下する。
【００７０】
ピクセル復元過程において、Ｙ（２ｉ）（２ｊ＋１）ピクセルは、それぞれＹ（２ｉ）（２ｊ）ピクセルを参照して復元され、Ｙ（２ｉ＋１）（２ｊ＋１）ピクセルについては、図８で説明したように、Ｙ（２ｉ＋１）（２ｊ）ピクセルを参照して復元される。例えば、Ｙ０３はＹ０２を、Ｙ４７はＹ４６を、Ｙ６３はＹ６２をそれぞれ参照して復元される。
【００７１】
図１０では、２×２：３ピクセル落下モードが図示され、図９の２×２：２ピクセル落下モードで落下したピクセルに加えてＹ（２ｉ＋１）（２ｊ）ピクセルが落下する。２×２：３ピクセル落下モードによって落下したピクセルを復元する過程で、Ｙ（２ｉ）（２ｊ＋１）、Ｙ（２ｉ＋１）（２ｊ＋１）、及びＹ（２ｉ＋１）（２ｊ）ピクセルは、いずれもＹ（２ｉ）（２ｊ）ピクセルを参照して復元される。すなわち、２×２サイズのピクセルブロック２２に含まれる４つのピクセルのうち初期ピクセルに該当するＹ（２ｉ）（２ｊ）ピクセルのみ落下せずに残っているため、落下した３個のピクセルは、いずれも初期ピクセルであるＹ（２ｉ）（２ｊ）ピクセルを参照して復元される。
【００７２】
例えば、Ｙ２３、Ｙ３２、Ｙ３３ピクセルはいずれも落下し、復元過程で、ピクセルブロック２２で落下しないピクセルであるＹ２２を参照して３つのピクセルとも復元される。
【００７３】
図１１に示された４×４：１３ピクセル落下モードは、図８の２×２：１ピクセル落下モードを確張した形態である考えられる。図１０の２×２：３ピクセル落下モードで落下したピクセルに加えて、Ｙ（４ｉ＋２）（４ｊ＋２）ピクセルが落下する。復元過程では、Ｙ（４ｉ＋２）（４ｊ＋２）ピクセルは、Ｙ（４ｉ＋２）（４ｊ）ピクセルを参照して復元され、残りの落下したピクセルは、図１０で説明した２×２：３ピクセル落下モードの復元過程と同一である。すなわち、Ｙ（２ｉ）（２ｊ＋１）、Ｙ（２ｉ＋１）（２ｊ＋１）、及びＹ（２ｉ＋１）（２ｊ）ピクセルは、それぞれＹ（２ｉ）（２ｊ）ピクセルを参照して復元される。但し、Ｙ（４ｉ＋２）（４ｊ＋２）ピクセルがＹ（４ｉ＋２）（４ｊ）ピクセルを参照して復元されたため、結果的に、Ｙ（４ｉ＋２）（４ｊ＋３）、Ｙ（４ｉ＋３）（４ｊ＋３）、及びＹ（４ｊ＋３）（４ｊ＋２）ピクセルは、いずれもＹ（４ｉ＋２）（４ｊ）ピクセルを参照して復元される。
【００７４】
図１１に示された例示を通じて説明すれば、Ｙ２６が落下するため、Ｙ２７、Ｙ３６、Ｙ３７は、Ｙ３６を参照して復元されない。よって、落下していないピクセルのうち最も近い参照距離を持つＹ２４ピクセルを参照して復元される。すなわち、Ｙ２４ピクセルを参照して復元されるピクセルは、Ｙ２５、Ｙ３４、Ｙ３５だけではなく、Ｙ２６、Ｙ２７、Ｙ３６、Ｙ３７ピクセルもＹ２４ピクセルを参照して復元される。
【００７５】
図１２に示された４×４：１４ピクセル落下モードにおいても、図９と同様に、Ｙ（４ｉ）（４ｊ＋２）ピクセルが落下する。すなわち、初期ピクセルから最も遠い参照距離を持つピクセルが、Ｙ（４ｉ）（４ｊ＋２）及びＹ（４ｉ＋２）（４ｊ）の２つであるが、初期ピクセルと列方向に近接しているピクセルであるＹ（４ｉ）（４ｊ＋２）ピクセルが先ず落下する。落下したＹ（４ｉ）（４ｊ＋２）ピクセルは、それぞれＹ（４ｉ）（４ｊ）ピクセルを参照して復元され、残りのピクセルの復元過程は、図１０及び図１１で説明した通りである。但し、図１１と同様に、Ｙ（４ｉ）（４ｊ＋２）ピクセルがＹ（４ｉ）（４ｊ）ピクセルを参照して復元されるので、結果的にＹ（４ｉ＋１）（４ｊ＋２）、Ｙ（４ｉ＋１）（４ｊ＋３）、及びＹ（４ｉ）（４ｊ＋３）ピクセルは、いずれもＹ（４ｉ）（４ｊ）ピクセルを参照して復元される。
【００７６】
例えば、Ｙ０２ピクセルが落下するため、Ｙ０２、Ｙ０３、Ｙ１２、Ｙ１３ピクセルもＹ０１、Ｙ１０、Ｙ１１ピクセルと共にＹ００を参照して復元される。一方、Ｙ２１、Ｙ２２、Ｙ２３、Ｙ３０、Ｙ３１、Ｙ３２、Ｙ３３ピクセルは、いずれもＹ２０ピクセルを参照して復元される。
【００７７】
図１３では、４×４：１５ピクセル落下モードを示す。４×４：１５ピクセル落下モードでは、Ｙ（４ｉ＋２）（４ｊ）ピクセルが落下する。復元過程で、Ｙ（４ｉ＋２）（４ｊ）ピクセルは、初期ピクセルであるＹ（４ｉ）（４ｊ）ピクセルを参照して復元され、４×４サイズのピクセルブロック２２で初期ピクセルのみ落下していないため、１５個のピクセルは、いずれも初期ピクセルであるＹ（４ｉ）（４ｊ）ピクセルを参照して復元される。すなわち、１６個のＹｉｊ（ｉ，ｊ＝４，５，６，７）ピクセルのうち、Ｙ４４ピクセルを除いた残りの１５個のピクセルは、いずれもＹ４４ピクセルを参照して復元される。
【００７８】
図１４ないし図１６に示された内容は、前述した図１１ないし１３の内容のうち４×４のピクセルブロック２２を８×８に確張した形態である。ピクセル落下過程及び復元過程は、前述した内容と同じ順序によって行われる。
【００７９】
以上の図５ないし図１６では、本発明の一実施形態によるピクセル落下モードによって、データ伝送率を低減させるいろいろなピクセル落下モードを詳細に説明した。それぞれの図面について、図５は、４×８：１ピクセル落下モード（８×８基準２個落下）、図６は、４×４：１ピクセル落下モード（８×８基準４個落下）、図７は、２×４：１ピクセル落下モード（８×８基準８個落下）、図８は、２×２：１ピクセル落下モード（８×８基準１６個落下）、図９は、２×２：２ピクセル落下モード（８×８基準３２個落下）、図１０は、２×２：３ピクセル落下モード（８×８基準４８個落下）、図１１は、４×４：１３ピクセル落下モード（８×８基準５２個落下）、図１２は、４×４：１４ピクセル落下モード（８×８基準５６個落下）、図１３は、４×４：１５ピクセル落下モード（８×８基準６０個落下）、図１４は、８×８：６１ピクセル落下モード（８×８基準６１個落下）、図１５は、８×８：６２ピクセル落下モード（８×８基準６２個落下）、図１６は、８×８：６３ピクセル落下モード（８×８基準６３個落下）をそれぞれ示す。
【００８０】
前述したように、データ伝送率が帯域幅に比べて十分に低くない場合、データ伝送率を低める方向に段階的にピクセル落下過程が行われる。すなわち、映像データで落下するピクセルの数が増加する方向に段階的に行われる。例えば、図９に示された２×２：２ピクセル落下モード（８×８基準３２個落下）が、図１３の４×４：１５ピクセル落下モード（８×８基準６０個落下）より先に行われる。
【００８１】
本発明の一実施形態よれば、それぞれのピクセル落下モードは、データ伝送率の減少方向に連続的に行われる。すなわち、ピクセル落下モードによって定められた数のピクセルが落下した映像データは、次ピクセル落下モードを行うための入力として使われる。例えば、図６に示された４×４：１ピクセル落下モードによって８×８基準４個を落下させた映像データは、図７に示された２×４：１ピクセル落下モードによって８×８基準８個を落下させるための入力データとして使われる。
【００８２】
図４ないし図１６に関して以上で説明した内容によって、ピクセルブロックのサイズ及び落下するピクセルの数は階層的に分類される。すなわち、下記の表１のように、それぞれのピクセル落下モードは、ピクセルブロック内で落下するピクセルの数及び位置に基づいて分類され、それぞれの落下したピクセルが復元されるために参照するピクセルに関する情報も共に分類される。
【００８３】
【表１】
2014519224.tif 000003
前記表１のように、復元時に参照するピクセルに関する情報は、ピクセルブロックのサイズ、落下したピクセルの数及び位置によって複数の落下モードに分類される。例えば、２×２ピクセルブロックで、それぞれＹ００、Ｙ１０を参照して予測されるＹ０１、Ｙ１１ピクセルを落下させる場合、無線送信機は、このような落下するピクセルＹ０１、Ｙ１１を示すインデクシング情報としてＤｒｏｐｐｉｎｇ  Ｉｎｄｅｘ＝２を伝送する。
【００８４】
このようなインデクシング情報に基づいて、無線受信機では落下したピクセルがＹ０１、Ｙ１１ピクセルであることが分かり、それぞれＹ００、Ｙ１０ピクセルを参照して復元可能になる。
【００８５】
前述した表１は一実施形態に過ぎず、ピクセルブロック内で落下するピクセルの位置及び数を示すためのインデクシング情報であるＤｒｏｐｐｉｎｇ  Ｉｎｄｅｘは、ピクセルブロックのサイズ、ピクセル差変換のフォーマット（ｆｏｒｍａｔ）、映像データのカラーフォーマット（ｃｏｌｏｒ  ｆｏｒｍａｔ）、及び他の付加情報などの組み合わせによって多様に設定される。
【００８６】
本発明のさらに他の実施形態よって、段階的なピクセル差変換（ＰＰＤＴ）過程が段階的なピクセル落下（ＰＰＤＵ）過程以前に行われた場合、落下するピクセルが、ピクセル差変換時に他のピクセルに対する差値を計算するに際して参照ピクセルとして使われるならば、落下過程中に差値を再び計算する。例えば、２×２：２ピクセル落下モード（図９）でＹ１０ピクセルが落下すれば、Ｙ２０ピクセルの値がＹ２０−Ｙ１０からＹ２０−Ｙ００に変更され、Ｙ２０ピクセルに対してＤ＝（Ｙ１０−Ｙ００）＋（Ｙ２０−Ｙ１０）＝Ｙ２０−Ｙ００に該当する再計算が行われ、ＤがＹ２０ピクセルのデータを振り替える。ピクセル落下が伴われるデータ伝送率の調節は、無線チャネルの状態が改善されるか、またはさらに高いデータ伝送率が可能になれば、逆の順序でもいつでも進みうる。
【００８７】
本発明の一実施形態によるピクセル落下モードで、それぞれのピクセルブロック２２内で落下するピクセルは、２つの基準に基づいて選択される。先ず、落下するピクセルは、映像画質の低下を最小化するために、映像データ（または、映像フレーム）内に均等に分布されるように選択される。第２に、ピクセルブロックを構成するピクセルブロック内の初期ピクセルから参照距離の最も遠いピクセルが先ず落下するように選択される。
【００８８】
本発明の一実施形態によるピクセル復元過程において、０次補間法（０−ｔｈ  ｏｒｄｅｒ  ｉｎｔｅｒｐｏｌａｔｉｏｎ）、二重線形補間法、及びバイキュービック補間法（ｂｉｃｕｂｉｃ  ｉｎｔｅｒｐｏｌａｔｉｏｎ）などのいろいろな方法が活用される。
【００８９】
図１７は、本発明の一実施形態による無線送信機１１（図１）の段階的なデータ伝送率調節方法のフローチャートを示す。図１７に示されたフローチャートでは、図１及び図２に示された無線送信機１１、映像入力モジュール１３、送信部１４、ピクセル落下モジュール１１０、及びデータ送信モジュール１２０で時系列的に処理される段階で構成される。
【００９０】
図１８では、本発明の一実施形態による無線受信機１２で受信した映像データを復元する方法のフローチャートを示す。図１８に示されたフローチャートでも同様に、図１及び図２に示された無線受信機１２、受信部１５、データ受信モジュール１３０、ピクセル復元モジュール１４０、及び映像再生モジュール１６で時系列的に処理される段階で構成される。よって、以下で省略された内容であっても、図１及び図２で図示された構成に関して以上で記述された内容は、図１７及び図１８に示されたフローチャートにも適用されるということが分かる。
【００９１】
図１７の段階３１０で、無線送信機は、映像データについてのピクセルブロックサイズを選択する。ピクセルブロックのサイズは、無線受信機のメモリバッファの容量、映像データのフォーマット及びコンテンツの種類によって定められる。選択されたピクセルブロックのサイズに関する情報は、無線チャネルを通じて伝送される映像データのＢｌｏｃｋＭｏｄｅフィールドを用いて獲得される。
【００９２】
段階３２０で、映像データの伝送に必要な十分な帯域幅が使用できるかどうかを定める。使用できれば段階３５０に進み、使用不可であれば段階３３０に進む。
【００９３】
段階３３０で、無線送信機は、ピクセルブロックごとに少なくとも一つのピクセルを落下させる。ピクセルを落下させる過程で、ピクセルブロックに含まれた初期ピクセルとの参照距離が最も遠いピクセルから落下させる。
【００９４】
段階３４０で、一つ以上のピクセルが落下した映像データを伝送するデータ伝送率が、使用可能な帯域幅に比べて十分に小さいかどうかを定める。十分に小さければ段階３５０に進み、そうでなければ、段階３３０に進む。すなわち、データ伝送率が十分に低くなければ、段階的にピクセル落下過程をさらに行える。落下するピクセルの数が増加する方向にピクセル落下モードを変更して、データ伝送率をさらに低める。
【００９５】
段階３５０で、ピクセルが落下した映像データをパケット化し、無線チャネルを通じて無線受信機に伝送する。この過程で、ピクセル落下モード、ピクセルブロックのサイズ及び落下したピクセルの数に関する情報を階層的に分類し、その結果をインデクシングし、インデクシング情報を映像データパケットと共に伝送する。
【００９６】
図１７で説明したいろいろな段階において、段階３２０ないし段階３４０は、無線送信機１１のアプリケーション及びＰＡＬ階層１３（または、オーディオビデオ制御階層（ＡＶＣ、Ａｕｄｉｏ  ｖｉｄｅｏ  ｃｏｎｔｒｏｌ））で行われる。パケット化のような特定作業も無線送信機１１のＭＡＣ階層１４Ｍに関する。
【００９７】
図１８は、本発明の一実施形態による無線受信機１２で映像データを受信し、ピクセルを復元する方法のフローチャートを示す。
【００９８】
段階４１０で、無線受信機は、無線チャネルを通じて伝送されるデータパケットを受信する。受信されたパケットは、デパケット化される。段階４２０で、無線送信機でピクセル落下過程などを通じて落下したピクセルがあるかどうかを確認する。この時、図１７の段階３５０で伝送したインデクシング情報を獲得して確認する。存在する場合、段階４３０に進み、存在しなければ、プロセスが終わる。
【００９９】
段階４３０で、インデクシング情報からピクセルブロックのサイズ及び落下したピクセルの数、参照するピクセルに関する情報を獲得して、落下したピクセルを復元する。このような復元過程は、ピクセル落下過程の逆順に進む逆行的な過程である。すなわち、落下したピクセルの数及びピクセルのサイズに基づいて、落下したピクセルと最も近い参照距離を持つピクセルを参照して、落下したピクセルを復元できる。
【０１００】
図１８のいろいろな段階において、段階４３０は、無線受信機１２内のアプリケーション＆ＰＡＬ階層１６（またはＡＶＣ階層）で行われる。段階４１０のデパケット化は、無線受信機１２のＭＡＣ階層１５Ｍに含まれたデパケット化モジュールによって行われる。
【０１０１】
一方、前述した方法は、コンピュータで行われるプログラムで作成でき、コンピュータで読み取り可能な媒体を用いて前記プログラムを動作させる汎用デジタルコンピュータで具現される。また、前述した方法で使われたデータの構造は、コンピュータで読み取り可能な媒体にいろいろな手段を通じて記録される。本発明の多様な方法を行うための実行可能なコンピュータコードを含む保存デバイスを説明するために使われるプログラム保存デバイスは、搬送波や信号のように一時的な対象を含むと理解されてはならない。前記コンピュータで読み取り可能な媒体は、マグネチック記録媒体（例えば、ＲＯＭ（Ｒｅａｄ  Ｏｎｌｙ  Ｍｅｍｏｒｙ）、フロッピー（登録商標）ディスク、ハードディスクなど）、光学的判読媒体（例えば、ＣＤ−ＲＯＭ、ＤＶＤなど）のような記録媒体を含む。
【０１０２】
前述した方法及び装置によれば、映像データを無線チャネルに伝送するときに、使用可能な帯域幅によって段階的にデータ伝送率を調節可能になる。
【０１０３】
当業者ならば、前記記載の本質的な特性から逸脱しない範囲で変形された形態で具現できるということを理解できるであろう。したがって、開示された方法は限定的な観点ではなく説明的観点で考慮されねばならない。本発明の範囲は発明の詳細な説明ではなく特許請求の範囲に示され、それと同等な範囲内にあるすべての差は本発明の範囲に含まれると解釈されねばならない。
【図１】
2014519224.tif 000004
【図２】
2014519224.tif 000005
【図３】
2014519224.tif 000006
【図４】
2014519224.tif 000007
【図５】
2014519224.tif 000008
【図６】
2014519224.tif 000009
【図７】
2014519224.tif 000010
【図８】
2014519224.tif 000011
【図９】
2014519224.tif 000012
【図１０】
2014519224.tif 000013
【図１１】
2014519224.tif 000014
【図１２】
2014519224.tif 000015
【図１３】
2014519224.tif 000016
【図１４】
2014519224.tif 000017
【図１５】
2014519224.tif 000018
【図１６】
2014519224.tif 000019
【図１７】
2014519224.tif 000020
【図１８】
2014519224.tif 000021
【国際調査報告】
2014519224.tif 000022
2014519224.tif 000023
2014519224.tif 000024
2014519224.tif 000025